(57)【要約】【課題】単一の粒状物を簡単にとり出すことができ、しかも構造が極めて簡単で製造上、経済上のメリットを備えた粒状物ケースを提案する。【解決手段】内部に画成した収納室３の頂部に、収納する粒状物２を単一に取り出す取出口４を開口したケース体Ａを備えており、このケース体には収納粒状物を取出口にガイドするガイド面ａを設けている。このガイド面ａは、粒状物の一部が嵌合する横断面形状を有する凹溝状をなし、取出口４縁部より下方へ垂設したものである。【選択図】図１
2004210309.tif 000002
【特許請求の範囲】
【請求項１】
内部に画成した収納室３の頂部に、収納する粒状物２を単一に取り出す取出口４を開口するとともに、該取出口４縁部より下方へガイド面ａを垂設したケース体Ａを備え、上記ガイド面ａは、粒状物の一部が嵌合する横断面形状を有する凹溝状をなすことを特徴とする粒状物ケース。
【請求項２】
上記取出口４を上記収納室３の縁部に設けるとともに、上記ガイド面ａを中心側に向けて設けてなる請求項１記載の粒状物ケース。
【請求項３】
上記ガイド面ａ両側縁より外方へそれぞれ延設した導入面ｂを設けてなる請求項２記載の粒状物ケース。
【請求項４】
上記ケース体Ａを皿状の下部材15及び伏せ皿状の上部材16で構成するとともに、下部材の底壁18に立設した嵌合筒20に上部材16の頂壁24より垂設した嵌合筒23を無理嵌めさせて上記収納室３を画成し、上記取出口４を開閉可能に閉塞する蓋Ｂを設けるとともに、該蓋Ｂの嵌合筒10を上記取出口４に着脱自在に無理嵌めさせてなる請求項１記載の粒状物ケース。
【請求項５】
上記ケース体Ａ外面に乾燥剤７を密閉固定するとともに、該乾燥剤部分のケース体に収納室３と連通する連通孔９を設けてなる請求項４記載の粒状物ケース。
【発明の詳細な説明】
【０００１】
【発明の属する技術分野】
本発明は粒状物ケースに関する。
【０００２】
【従来の技術】
粒状物ケースとして、例えば、簡単な操作で単一の錠剤を取り出すことが出来るものが提案されている（例えば、特許文献１参照）。
【０００３】
ここに示されている錠剤配剤器は、皿状の本体と該本体上端開口を開閉可能に設けた蓋体とからなる配剤器ハウジングと、そのハウジング内に収納され、錠剤を環状に配列収納した交換可能な環状の錠剤容器とを備えている。また、錠剤容器はハウジング内に回動可能に収納され、使用時にハウジング蓋体に設けた単一の錠剤配剤用開口部と整列される開口部を備えており、また、錠剤容器をハウジングに対して回動させる回動機構を備えている。
【０００４】
従って、単一の錠剤を錠剤配剤用開口部から配剤器をひっくり返すことにより取り出すことができ、しかも蓋をあけずに取り出すことができるという便利なものである反面、構造が複雑であるという問題がある。
【０００５】
【特許文献１】
特開平０６−０８０１７２号公報（第２−６頁，図６）
【０００６】
【発明が解決しようとする課題】
本発明は上記した点に鑑みてなされたもので、単一の粒状物を簡単に取り出すことができ、しかも構造が極めて簡単で製造上、経済上のメリットを備えた粒状物ケースを提案するものである。
【０００７】
【課題を解決するための手段】
本請求項１発明の粒状物ケースは、上記課題を解決するため、内部に画成した収納室３の頂部に、収納する粒状物２を単一に取り出す取出口４を開口するとともに、該取出口４縁部より下方へガイド面ａを垂設したケース体Ａを備え、上記ガイド面ａは、粒状物の一部が嵌合する横断面形状を有する凹溝状をなすことを特徴とする粒状物ケースとして構成した。
【０００８】
また、請求項２発明の粒状物ケースは、上記取出口４を上記収納室３の縁部に設けるとともに、上記ガイド面ａを中心側に向けて設けてなる請求項１記載の粒状物ケースとして構成した。
【０００９】
また、請求項３発明の粒状物ケースは、上記ガイド面ａ両側縁より外方へそれぞれ延設した導入面ｂを設けてなる請求項２記載の粒状物ケースとして構成した。
【００１０】
また、請求項４発明の粒状物ケースは、上記ケース体Ａを皿状の下部材15及び伏せ皿状の上部材16で構成するとともに、下部材の底壁18に立設した嵌合筒20に上部材16の頂壁24より垂設した嵌合筒23を無理嵌めさせて上記収納室３を画成し、上記取出口４を開閉可能に閉塞する蓋Ｂを設けるとともに、該蓋Ｂの嵌合筒10を上記取出口４に着脱自在に無理嵌めさせてなる請求項１記載の粒状物ケースとして構成した。
【００１１】
また、請求項５発明の粒状物ケースは、上記ケース体Ａ外面に乾燥剤７を密閉固定するとともに、該乾燥剤部分のケース体に収納室３と連通する連通孔９を設けてなる請求項４記載の粒状物ケースとして構成した。
【００１２】
【発明の実施の形態】
以下、本発明の実施例の形態を図面を参照して説明する。
【００１３】
図面に示す如く本発明の粒状物ケース１は合成樹脂等により形成されたもので、ケース体Ａと、蓋Ｂとを備えている。ケース体Ａは、内部に粒状物２を収納する収納室３を画成し、また、収納室３の頂部には粒状物２を単一に取り出すための取出口４を開口している。
【００１４】
取出口４は収納室３の頂部であれば位置は問わないが、粒状物取り出しの際の扱い易さを考慮すれば収納室３の縁部に設けることが好ましい。また、その形状は単一の収納粒状物が通過可能な大きさであれば種々の形状を採用でき、図示例では、球状の収納物にあわせて円形の取出口４を形成している。
【００１５】
本発明では上記取出口４縁部より下方へ垂設したガイド面ａを設けている。このガイド面ａは収納粒状物２を取り出す際に、一旦取出口４下方の適正位置に位置させた後、例えばケースの倒立に伴って取出口４へ誘導するためのものである。従って、ガイド面ａは収納粒状物２の一部が嵌合する横断面形状を有し、また、取出口４の縁部より収納室３の下部に至る凹溝形状をなしている。
【００１６】
このガイド面ａの横断面形状は収納粒状物２の外形にフィットさせる形状とするのが好ましいが、例えば、図示例の如く収納粒状物２が球状の場合にガイド面ａをその外径と略同形の円弧状をなす横断面形状とする等、上記した如くその一部が遊嵌状態を含めて嵌合する形状であればかまわない。例えば、収納粒状物２の形状に拘わらず、横断面円弧状、横断面Ｖ字状，横断面Ｕ字状，横断面コの字状等種々の横断面形状を挙げられる。
【００１７】
この様に構成することにより、嵌合した粒状物２はガイド面ａの左右にずれることを防止して確実に取出口４下方に粒状物２を位置させる。ガイド面ａの形成方向としては、取出口４の形成位置と関連して選択され、特に取出口４が収納室３縁部に存在する場合には、ケース体Ａの中心側にガイド面ａが向く如く設けるとガイド面ａへの粒状物２の誘導が行いやすく、その結果、単一粒状物の取り出しがより容易となる。更に、図示例の如くガイド面ａの両側縁よりそれぞれ外方へ導入面ｂを設けると、より効率良くガイド面ａへの粒状物２の誘導を行い易い。
【００１８】
図示例に於いてケース体Ａは中空円板状をなし、後部上面中央を下方へ凹ませた蓋収納凹部５を凹設している。また、この蓋収納凹部５の前後方向中央に上記取出口４を開口しており、取出口４後縁部より収納室３内に横断面円弧状をなす上記ガイド面ａを垂設している。また、本実施例ではケース体Ａ外面に乾燥剤を密閉固定するとともに、該乾燥剤部分のケース体に収納室３と連通する連通孔を設けている。詳しくは、底面中央部に乾燥剤用凹部６を設け、該凹部内にシート状の乾燥剤７を収納し、乾燥剤用凹部６の下端開口をシール材８にて閉塞して乾燥剤７を固定している。また、上記乾燥剤用凹部６を凹設した位置の底壁部分には連通孔９を設け、収納室３内と乾燥剤用凹部６内とを連通して、収納室３の湿気を吸湿する如く構成している。
【００１９】
蓋Ｂは、上記取出口４を開閉可能に閉塞する物であれば良く、図示例の如く、ケース体Ａに回動可能に装着されたものであっても、取り外しが可能なものであっても良い。図示例に於いて蓋Ｂは、上記取出口４内に係脱可能に嵌合させた嵌合筒10を前部下面より垂設した水平板部11と、該水平板部11後縁より下方へ垂下して、その下端部を弾性反転機構を介して上記蓋収納凹部５後部のケース体Ａに連結した垂直板部11とを備えている。上記嵌合筒10はその外径を取出口４の内径より若干大きく形成する等の手段により、取出口４に着脱可能に無理嵌めする如く構成してその部分の気密性を維持する如く構成している。上記弾性反転機構は、ケース体Ａの後部上端部に薄肉ヒンジ13を介して蓋Ｂの後端部を回動可能に連結するとともに、薄肉ヒンジ13両側に於いて両者を縦長の弾性板14で連結し、蓋Ｂを弾性反転可能にケース体Ａに連結したものである。
【００２０】
更に図示例を具体的にいえば、複数の部材を嵌合させて上記ケース体Ａ及び蓋Ｂを構成している。即ち、下部材15及び上部材16によりケース体Ａを構成しており、枠部材17を介して蓋Ｂをケース体Ａに装着している。下部材15は、底壁18周縁部より周壁19を起立した皿状をなしており、周壁19内側の底壁18上面に一対の内側の嵌合筒20及び外側の嵌合筒21を立設している。
【００２１】
上部材16は、上記外側の嵌合筒21及び内側の嵌合筒20にそれぞれ下端部を嵌合させた上部外側の嵌合筒22及び上部内側の嵌合筒23の上端より頂壁24を延設した伏せ皿状をなし、上部内側の嵌合筒23を下部材15の内側の嵌合筒20に嵌合させて上記収納室３を画成している。この上部内側の嵌合筒23を内側の嵌合筒20に、例えば、内側の嵌合筒20を薄肉に形成するとともに、内側の嵌合筒20の内径より上部内側の嵌合筒23の外径を若干大きくする等の手段により無理嵌めする如く構成し、この部分の気密性を図っており、上記取出口４と蓋Ｂの嵌合筒10との無理嵌め構造とで、収納室３内の充分な気密性を維持する如く構成している。
【００２２】
枠部材17は、上記下部材周壁19上端に下端を嵌合させた垂壁部25の上端より内方へフランジ状の頂壁部26を延設し、この頂壁部26内周縁部を上記上部材頂壁24上面周縁部に嵌着させている。また、上部材16及び枠部材17の後部は下方へ凹ませた上記蓋収納凹部５を形成する。
【００２３】
収納する粒状物２としては、錠剤，菓子等の粒状のものを使用でき、その形状は、図示例の如き球状のものに限らず、非球状のものであっても良い。
【００２４】
上記の如く構成した粒状物ケース１は、使用に当たり、例えば所定方向へケース体Ａを傾けてガイド面ａへ粒状物２を誘導し、次いで、開蓋してケース体Ａを逆さまに回動すれば単一の粒状物ａを取出口４より取り出すことができる。
【００２５】
【発明の効果】
以上説明した如く、本発明の粒状物ケースは、既述構成としたことにより、簡単な操作により単一の粒状物を容易に取り出すことができ、しかも構造が簡単で、製造も容易であり安価に得られる利点がある。
【００２６】
上記取出口４を上記収納室３の縁部に設けるとともに、上記ガイド面ａを中心側に向けて設けてなるものにあっては、収納粒状物をガイド面ａに誘導し易く、その結果、単一粒状物の取り出しがより容易となる。
【００２７】
また、前記の構成を備え、更に上記ガイド面ａ両側縁より外方へそれぞれ延設した導入面ｂを設けてなるものにあっては、収納錠剤を更に容易に取出口４へ導くことができ、より容易な粒状物の取り出しを行える。
【００２８】
また、上記ケース体Ａを皿状の下部材15及び伏せ皿状の上部材16で構成するとともに、下部材の底壁18に立設した嵌合筒20に上部材16の頂壁24より垂設した嵌合筒23を無理嵌めさせて上記収納室３を画成し、上記取出口４を開閉可能に閉塞する蓋Ｂを設けるとともに、該蓋Ｂの嵌合筒10を上記取出口４に着脱自在に無理嵌めさせてなるものにあっては、それぞれの嵌合部分に於ける気密性を充分維持でき、その結果、収納室３内を常時理想的な密閉状態に維持できるものである。
【００２９】
また、上記蓋Ｂの嵌合筒を無理嵌めしたものでしかもケース体Ａ外面に乾燥剤７を密閉固定するとともに、該乾燥剤部分のケース体に収納室３と連通する連通孔９を設けてなるものにあっては、収納室内雰囲気をより理想的な密閉状態に維持できるものである。
【図面の簡単な説明】
【図１】本発明の一実施例を示す縦断面図である。
【図２】同実施例のガイド面を説明する説明図である。
【図３】同実施例の平面図である。
【符号の説明】
２…粒状物，３…収納室，４…取出口，Ａ…ケース体，ａ…ガイド面
【図１】
2004210309.tif 000003
【図２】
2004210309.tif 000004
【図３】
2004210309.tif 000005